(57)【特許請求の範囲】
【請求項１】
温水を入れた消毒槽と，冷水を入れた冷却槽とを並べて配設し，更に，種子を入れたケージを，前記消毒槽と冷却槽とに沿って順次間欠的に移送する手段を備えて成る消毒装置において，
前記消毒槽は一つで，この消毒槽における前記ケージの移送方向に沿った長さは，前記ケージを前記種子の温水消毒に必要な時間だけ当該消毒槽内に浸漬した状態でその長さ方向に移送する長さである一方，前記間欠移送手段は，前記ケージを前記消毒槽内にその一端部において浸漬して他端部にまで移送したのち引き上げ，次いで，前記冷却槽内に浸漬したのち引き上げる構成であることを特徴とする種子の温水消毒装置。
【請求項２】
前記請求項１の記載において，前記ケージの移送経路のうち前記消毒槽の前側に，前記ケージへの種子の供給ステージが，前記冷却槽の後側に，ケージに対する水切りステージが各々設けられている一方，前記間欠移送手段は，前記ケージを前記供給ステージから前記消毒槽内の一端部に浸漬するように移送し，更に，前記冷却槽から引き上げたケージを前記水切りステージに移送する構成であることを特徴とする種子の温水消毒装置。
【発明の詳細な説明】
【技術分野】
【０００１】
本発明は，種籾等のような種子を，所定の温度に暖めた温水中に適宜時間にわたって浸漬することによって消毒するようにした装置に関するものである。
【背景技術】
【０００２】
一般に，種子の温水消毒に際しては，種子を，所定の温度に暖めた温水中に適宜時間にわたって浸漬することによって消毒し，次いで，冷水に浸漬することによって冷却するという方法が採用されている。
【０００３】
この場合，温水への浸漬による消毒時間は，約１０分程度必要であるのに対し，冷水への浸漬による冷却時間は，約５分程度でというように前記消毒時間の略半分で良い。
【０００４】
そこで，従来，この消毒装置においては，例えば，特許文献１等に記載されているように，種子を入れたケージを移送する経路に，温水を入れた二つの消毒槽と，冷水を入れた一つの冷却槽とを前記移送方向に沿って並べて配設し，前記種子を入れたケージを，前記二つの消毒槽のうち第１の消毒槽内に約５分程度浸漬し，次いで，この第１の消毒槽内から引き上げたのち第２の消毒槽内に約５分程度浸漬し，次いで，この第２の消毒槽内から引き上げたのち前記冷却槽内に約５分程度浸漬するというように構成している。
【特許文献１】特開平１１−３１８１１８号公報
【発明の開示】
【発明が解決しようとする課題】
【０００５】
しかし，この従来の消毒装置においては，種子を入れたケージを，適宜時間（約５分程度）の間隔で，間欠的に移送する途中において，前記第１の消毒槽内に前記適宜時間（約５分程度）だけ浸漬し，この第１の消毒槽内から引き上げたのち第２の消毒槽に移行して，この第２の消毒槽内に前記適宜時間（約５分程度）だけ浸漬し，次いで，第２の消毒槽内から引き上げたのち冷却槽に移行して，この冷却槽内に前記適宜時間（約５分程度）だけ浸漬するというように構成している。
【０００６】
つまり，従来の消毒装置は，種子を入れたケージの間欠移送の時間間隔を，冷却槽内への浸漬する時間と同じにしているために，前記ケージへの前記第１の消毒槽への適宜時間（約５分程度）の浸漬から前記第２の消毒槽への適宜時間（約５分程度）浸漬に移行することによって，所定の消毒時間を得るように構成していることにより，消毒作業の全体に要する時間には，両消毒槽内の各々への浸漬にて温水消毒する時間に，ケージを前記第１の消毒槽への浸漬から前記第２の消毒槽への浸漬に移行することに要する時間が加算されることになり，換言すると，前記消毒作業に要する時間が前記移行に要する時間だけ長くなるから，これだけ作業性が低くて，コストのアップを招来するばかりか，二つの消毒槽を配設する分だけ装置全体の大型化を招来するばかりか，価格のアップを招来するという問題があった。
【０００７】
本発明は，これらの問題を解消した消毒装置を提供することを技術的課題とするものである。
【課題を解決するための手段】
【０００８】
この技術的課題を達成するため本発明は，
「温水を入れた消毒槽と，冷水を入れた冷却槽とを並べて配設し，更に，種子を入れたケージを，前記消毒槽と冷却槽とに沿って順次間欠的に移送する手段を備えて成る消毒装置において，
前記消毒槽は一つで，この消毒槽における前記ケージの移送方向に沿った長さは，前記ケージを前記種子の温水消毒に必要な時間だけ当該消毒槽内に浸漬した状態でその長さ方向に移送する長さである一方，前記間欠移送手段は，前記ケージを前記消毒槽内にその一端部において浸漬して他端部にまで移送したのち引き上げ，次いで，前記冷却槽内に浸漬したのち引き上げる構成である。」
ことを特徴としている。
【発明の効果】
【０００９】
本発明は，消毒槽を，一つにして，この消毒槽内を，種子を入れたケージを当該消毒槽内に浸漬した状態で前記種子の温水消毒に必要な時間だけ当該消毒槽における長さ方向に移送する構成であることにより，前記従来のように，種子を入れたケージを第１の消毒槽への浸漬から第２の消毒槽への浸漬に移行することを必要としないから，この分だけ，種子の消毒に要する時間を短縮できて，作業性を向上できて，コストの低減を図ることができる。
【００１０】
しかも，消毒槽が一つであるから，この分だけ装置の全体を小型化できるとともに，低価格化を達成できる。
【００１１】
【００１２】
また，請求項２に記載したように，前記ケージの移送経路のうち前記消毒槽の前側に，前記ケージへの種子の供給ステージを，前記冷却槽の後側に，ケージに対する水切りステージを各々に設けるという構成にすることにより，前記ケージへの種子の供給，消毒，冷却及び水切りを一連の工程で行うことができるから，前記した効果を更に助長できる利点がある。
【発明を実施するための最良の形態】
【００１３】
以下，本発明の実施の形態を，図１の図面について説明する。
【００１４】
この図において，符号１は，床面を示し，この床面１には，供給ステージ２と，温水３ａを入れた上面開放型の消毒槽３と，冷水４ａを入れた上面開放型の冷却槽４と，水切りステージ５とが，一列状に並べて設けられている。
【００１５】
符号６は，前記天井走行レールを示し，この天井走行レール６は，前記供給ステージ２，前記消毒槽３，前記冷却槽４及び前記水切りステージ５の上方をこれらに沿って延び，そして，前記水切りステージ５側の終端と，前記供給ステージ２側の始端とが連続して繋がっているというようにエンドレス状に構成されている。
【００１６】
前記天井走行レール６には，少なくとも自走式の５つのトロリー７ａ，７ｂ，７ｃ，７ｄ，７ｅが設けられ，この各トロリー７ａ，７ｂ，７ｃ，７ｄ，７ｅの各々には，これに吊り掛けしたケージ８を昇降するための昇降機構が設けられ，且つ，前記各トロリー７ａ，７ｂ，７ｃ，７ｄ，７ｅは，その相互間に同じピッチ間隔Ｐを保った状態のもとで前記ピッチ間隔Ｐだけ前記天井走行レール６に沿って横移動し，ここで，その横移動を一旦適宜時間（約５分程度）の間だけ停止したのち前記ピッチ間隔Ｐだけ横移動するというように間欠移送式に構成されている。
【００１７】
すなわち，前記各トロリー７ａ，７ｂ，７ｃ，７ｄ，７ｅは，その天井走行レール６に沿って移動する途中において，前記供給ステージ２，前記冷却槽４及び前記水切りステージ５の上方の箇所にまで横移動したとき，その横移動を適宜時間（約５分程度）だけ停止して，その間においてケージ８を下降したのち上昇するようにし，前記消毒槽３の一端部に来たときその横移動を適宜時間（約５分程度）だけ停止してケージ８を下降し，前記消毒槽３の一端部から他端部までの間をケージ８を下降したままの状態で横移動したとき横移動を適宜時間（約５分程度）だけ停止したのちケージ８を上昇するように構成されている。
【００１８】
この構成において，前記各トロリー７ａ，７ｂ，７ｃ，７ｄ，７ｅは，前記供給ステージ２の箇所まで横移動したとき，そのケージ８を下降して前記供給ステージ２に載せ，この状態で横移動を約５分程度の時間だけ停止することにより，この間において，前記ケージ８内に消毒する目的の種子の適宜量を，籾袋に入れたまま又は籾袋から出して供給する（入れる）。
【００１９】
次いで，前記各トロリー７ａ，７ｂ，７ｃ，７ｄ，７ｅは，前記種子を入れたケージ８を上昇したのち前記消毒槽３における一端部まで横移動したのちケージ８を下降し，この状態で横移動を約５分程度の時間だけ停止することにより，このケージ８を前記消毒槽３内の温水に浸漬して，所定の温水消毒を開始する。
【００２０】
次いで，前記各トロリー７ａ，７ｂ，７ｃ，７ｄ，７ｅは，そのケージ８を温水に浸漬したままの状態で前記消毒槽３における他端部まで横移動し，この他端部において前記ケージ８の横移動を約５分程度の時間だけ停止したのち前記ケージ８を上昇することにより，前記消毒槽３内の温水から引き上げて温水消毒を終了する。
【００２１】
次いで，前記各トロリー７ａ，７ｂ，７ｃ，７ｄ，７ｅは，そのケージ８を上昇したままで前記冷却槽４の箇所まで横移動したとき，そのケージ８を下降し，この状態で横移動を約５分程度の時間だけ停止することにより，このケージ８を前記冷却槽４内の冷水に浸漬して，所定の冷却を行う。
【００２２】
この冷却が完了すると，前記各トロリー７ａ，７ｂ，７ｃ，７ｄ，７ｅは，そのケージ８を前記冷却槽４から上昇するように引き上げたのち前記水切りステージ５の箇所まで横移動して下降して前記水切りステージ５に載せ，この状態で横移動を約５分程度の時間だけ停止することにより，種子の水切りを行う。
【００２３】
そして，この水切りを完了すると，前記各トロリー７ａ，７ｂ，７ｃ，７ｄ，７ｅは，前記水切りステージ５から前記供給ステージ２に戻されるのであり，その戻しの途中において，そのケージ８内からの種子の取り出し（荷卸し）を行う。
【００２４】
この場合，前記供給ステージ２から前記消毒槽３の一端部への横移動，前記消毒槽３における一端部から他端部への横移動，前記消毒槽３の他端部から前記冷却槽４への横移動及び前記冷却槽４から前記水切りステージ５０の横移動は一斉に行うように構成している。
【００２５】
更に，前記消毒槽３の一端部におけるケージ８の下降と，消毒槽３の他端部におけるケージ８の上昇とを，同時に行うように構成している。
【００２６】
本発明は，種子の温水消毒を，この種子を入れたケージ８を前記消毒槽３内における一端部に浸漬しこの浸漬したままでの状態で消毒槽３の他端部にまで横移動することによって行うものである。
【００２７】
そこで，前記消毒槽３における前記ケージ８の移送方向に沿った長さ寸法Ｌを，前記ケージ８を前記種子の消毒に必要な時間（約１０分程度）だけ当該消毒槽３内に浸漬した状態でその長さ方向に移送する長さ寸法に設定することにより，前記種子の温水消毒を，前記従来のように，ケージを第１の消毒槽への浸漬から第２の消毒槽への浸漬に移行することなく，一つの消毒槽３への浸漬のみで行うことができる。
【図面の簡単な説明】
【００２８】
【図１】本発明の実施の形態を示す図である。
【符号の説明】
【００２９】
１                床面
２                供給ステージ
３                消毒槽
４                冷却槽
５                水切りステージ
６                天井走行レール
７ａ〜７ｅ        トロリー
８                ケージ
【図１】
0004678780.tif 000002